(57)【特許請求の範囲】
【請求項１】
六面のうち一面が開口しこの開口が第１後フレーム(42)で縁取りされている後シェル(40)と、六面のうち一面が開口しこの開口が第１前フレーム(26)で縁取りされている前シェル(20)と、前記第１後フレーム(42)と前記第１前フレーム(26)に渡され前記後シェル(40)に前記前シェル(20)を開閉自在に連結する第１ヒンジ(43)と、前記第１後フレーム(42)と前記第１前フレーム(26)に渡され前記後シェル(40)に前記前シェル(20)を施錠する第１錠前機構(41)とを備え、
前記前シェル(20)は、前記第１錠前機構(41)で前記後シェル(40)に施錠される前シェル本体(22)と、前記第１錠前機構(41)とは独立して開閉可能なリッド(23)とを備え、
前記リッド(23)は第２前フレーム(28)で縁取りされ、前記前シェル本体(22)は前記第２前フレーム(28)に対応する部位が第２後フレーム(29)で縁取りされ、この第２後フレーム(29)と前記第２前フレーム(28)に第２ヒンジ(21)及び第２錠前機構(24)が渡され、
前記第１前フレーム(26)と前記第１後フレーム(42)との間にスライドファスナーが設けられてはいなく、前記第２前フレーム(28)と前記第２後フレーム(29)との間にスライドファスナーが設けられてはいない鞄(10)であって、
前記第１前フレーム(26)及び前記第１後フレーム(42)は、前記前シェル(20)より丈夫な材料で構成され、
前記第２前フレーム(28)及び前記第２後フレーム(29)も、前記前シェル(20)より丈夫な材料で構成されていることを特徴とする鞄。
【請求項２】
六面のうち一面が開口しこの開口が第１後フレーム(42)で縁取りされている後シェル(40)と、六面のうち一面が開口しこの開口が第１前フレーム(26)で縁取りされている前シェル(20)と、前記第１後フレーム(42)と前記第１前フレーム(26)に渡され前記後シェル(40)に前記前シェル(20)を開閉自在に連結する第１ヒンジ(43)と、前記第１後フレーム(42)と前記第１前フレーム(26)に渡され前記後シェル(40)に前記前シェル(20)を施錠する第１錠前機構(41)とを備え、
前記前シェル(20)は、前記第１錠前機構(41)で前記後シェル(40)に施錠される前シェル本体(22)と、前記第１錠前機構(41)とは独立して開閉可能なリッド(23)とを備え、
前記リッド(23)は第２前フレーム(28)で縁取りされ、前記前シェル本体(22)は前記第２前フレーム(28)に対応する部位が第２後フレーム(29)で縁取りされ、この第２後フレーム(29)と前記第２前フレーム(28)に第２ヒンジ(21)及び第２錠前機構(24)が渡され、
前記後シェル(40)の容積に相当する容量の中箱(50)が、前記後シェル(40)に取外し可能に取付けられている鞄(10)であって、
前記中箱(50)は、口の字状を呈するフレーム(51)を有し、
このフレーム(51)は、上部に穴(64a)が開いた上部フック(64)を備え、下部に穴(65a)が開いた下部フック(65)を備え、
前記第１後フレーム(42)に、前記上部フック(64)を止める上部ピン(45)と、前記下部フック(65)を取付ける下部ピン(46)とが設けられることにより、前記中箱(50)が前記後シェル(40)に取外し可能に取付けられていることを特徴とする鞄。
【請求項３】
前記中箱(50)は、網部材(52)で構成されていることを特徴とする請求項２記載の鞄。
【請求項４】
前記中箱(50)は、口の字状を呈する前記フレーム(51)の上部に、回動させ畳むことができるハンガーフック(56)を更に備えていることを特徴とする請求項２又は請求項３記載の鞄。
【請求項５】
前記中箱(50)は、単独で収納ケースとなることを特徴とする請求項２〜４のいずれか１項記載の鞄。
【請求項６】
前記第１後フレーム(42)、前記第１前フレーム(26)、前記第２後フレーム(29)、前記第２前フレーム(28)、前記第１ヒンジ(43)及び前記第２ヒンジ(21)は、樹脂製であり、
前記第１後フレーム(42)、前記第１ヒンジ(43)及び前記第１前フレーム(26)は、一体形成され、
前記第２後フレーム(29)、前記第２ヒンジ(21)及び前記第２前フレーム(28)は、一体成形されていることを特徴とする請求項１〜５のいずれか１項記載の鞄。
【請求項７】
前記リッド(23)の開口部から、前記鞄の内部に物品が出し入れ可能であることを特徴とする請求項１〜６のいずれか１項記載の鞄。
【発明の詳細な説明】
【技術分野】
【０００１】
本発明は、旅行カバン、スーツケース、トランク、アタッシュケースとして使用される鞄に関する。
【背景技術】
【０００２】
旅行カバンには、衣装、衣類、生活用品など諸々の物品が詰められる。これらの物品の出し入れを考慮して、種々の構造のカバンが提案されてきた（例えば、特許文献１（図１、図３）参照。）。
【０００３】
特許文献１の図１に示されるように、鞄本体（１（括弧付き数字は、特許文献１に記載された符号を示す。以下同様）は、スライドファスナー部（１０）とスライドファスナー部（１５）とを備えており、２箇所のファスナー部（１０、１５）の何れか一方を用いて鞄を開けることができる。
【０００４】
特許文献１では、縦開きの際にスライドファスナー部（１０）を開き、横開きの際にスライドファスナー部（１５）を開くようにしている。
特許文献１では説明されていないが、出し入れ頻度の少ない物は奥に収納してスライドファスナー部（１５）を閉じ、出し入れ頻度の多い物は手前に収納してスライドファスナー部（１０）を閉じるといった使い方も推奨される。
【０００５】
スライドファスナー部（１０、１５）は、構造が簡単で安価である。スライドファスナーの構造を図１８で詳しく説明する。
図１８（ａ）に示すように、スライドファスナー１００は、左のテープ１０１の縁に付いている左のエレメント１０２と、右のテープ１１１の縁に付いている右のエレメント１１２と、エレメント１０２、１１２を開き方向又は閉じ方向へ移動するスライダー１２１、１２１とからなる。端部に設けた錠前機構１２２でスライダー１２１、１２１を施錠することができる。
【０００６】
図１８（ａ）のｂ部拡大図である図１８（ｂ）に示すように、左のエレメント１０２は首１０３と頭１０４を有し、右のエレメント１１２も首１１３と頭１１４を有している。左の首１０３と首１０３の間に右の頭１１４が嵌り、右の首１１３と首１１３の間に左の頭１０４が嵌まる。
【０００７】
図１８（ａ）において、左のテープ１０１に左向きの力が加わり、右のテープ１１１に右向きの力が加わっても、多数個のエレメント１０２、１１２の嵌合により、スライドファスナー１００の閉じ状態が維持される。すなわち、エレメント１０２、１１２個々の負荷は小さくなる。
【０００８】
ところで、アイスピックやボールペンの先を、エレメント１０２とエレメント１１２の境界に差し込むと、一部のエレメント１０２、１１２に外力が集中する。すると、一部のエレメント１０２、１０２から一部のエレメント１１２が外れる。スライドファスナー１００において、一箇所が外れると、スライドファスナー１００は簡単に開かれる（壊される）。
【０００９】
よって、スライドファスナー構造の鞄では、錠前機構１２２で施錠できるにも拘わらず、貴重品を入れることができない。保安性を高めるために、施錠構造を重厚にすると、物品の出し入れが面倒になり、取り扱い性が低下する。このように、従来の鞄は、保安性と取り扱い易さの一方が犠牲になっていた。
しかし、鞄の用途が多様する中、保安性と取り扱い易さの両方が満たされる鞄が求められる。
【００１０】
また、特許文献１の図３に鞄本体（１）の開口が上に向いた形態が示されている。この状態で、物品が収納され、その後に、スライドファスナー部（１５）が閉じられる。
自宅から出発し、旅先ではホテルに滞在し、自宅へ戻るケースを想定すると、特許文献１の図１のスライドファスナー部（１０）だけを開閉することで、用が済む場合が少なくない。すると、特許文献１の図３の鞄本体（１）に物品が入れたままになることがある。
【００１１】
季節によっては、黴の発生が心配される。そこで、鞄本外（１）から簡単に物品が出し入れできる構造が望まれる。
【先行技術文献】
【特許文献】
【００１２】
【特許文献１】実用新案登録第３１６８９７２号公報
【発明の概要】
【発明が解決しようとする課題】
【００１３】
本発明は、保安性と取り扱い易さの両方が満たされる鞄を提供することを課題とする。
【課題を解決するための手段】
【００１４】
請求項１に係る発明は、六面のうち一面が開口しこの開口が第１後フレームで縁取りされている後シェルと、六面のうち一面が開口しこの開口が第１前フレームで縁取りされている前シェルと、前記第１後フレームと前記第１前フレームに渡され前記後シェルに前記前シェルを開閉自在に連結する第１ヒンジと、前記第１後フレームと前記第１前フレームに渡され前記後シェルに前記前シェルを施錠する第１錠前機構とを備え、
前記前シェルは、前記第１錠前機構で前記後シェルに施錠される前シェル本体と、前記第１錠前機構とは独立して開閉可能なリッドとを備え、
前記リッドは第２前フレームで縁取りされ、前記前シェル本体は前記第２前フレームに対応する部位が第２後フレームで縁取りされ、この第２後フレームと前記第２前フレームに第２ヒンジ及び第２錠前機構が渡され、
前記第１前フレームと前記第１後フレームとの間にスライドファスナーが設けられてはいなく、前記第２前フレームと前記第２後フレームとの間にスライドファスナーが設けられてはいない鞄であって、
前記第１前フレーム及び前記第１後フレームは、前記前シェルより丈夫な材料で構成され、前記第２前フレーム及び前記第２後フレームも、前記前シェルより丈夫な材料で構成されている。
【００１５】
請求項２に係る発明は、六面のうち一面が開口しこの開口が第１後フレームで縁取りされている後シェルと、六面のうち一面が開口しこの開口が第１前フレームで縁取りされている前シェルと、前記第１後フレームと前記第１前フレームに渡され前記後シェルに前記前シェルを開閉自在に連結する第１ヒンジと、前記第１後フレームと前記第１前フレームに渡され前記後シェルに前記前シェルを施錠する第１錠前機構とを備え、
前記前シェルは、前記第１錠前機構で前記後シェルに施錠される前シェル本体と、前記第１錠前機構とは独立して開閉可能なリッドとを備え、
前記リッドは第２前フレームで縁取りされ、前記前シェル本体は前記第２前フレームに対応する部位が第２後フレームで縁取りされ、この第２後フレームと前記第２前フレームに第２ヒンジ及び第２錠前機構が渡され、
前記後シェルの容積に相当する容量の中箱が、前記後シェルに取外し可能に取付けられている鞄であって、
前記中箱は、口の字状を呈するフレームを有し、
このフレームは、上部に穴が開いた上部フックを備え、下部に穴が開いた下部フックを備え、
前記第１後フレームに、前記上部フックを止める上部ピンと、前記下部フックを取付ける下部ピンとが設けられることにより、前記中箱が前記後シェルに取外し可能に取付けられている。
【００１６】
請求項３に係る発明では、中箱は、網部材で構成されていることを特徴とする。
【００１７】
請求項４に係る発明では、中箱は、口の字状を呈する前記フレームの上部に、回動させ畳むことができるハンガーフックを更に備えていることを特徴とする。
【００１８】
請求項５に係る発明では、中箱は、単独で収納ケースとなることを特徴とする。
【００１９】
請求項６に係る発明では、第１後フレーム、第１前フレーム、第２後フレーム、第２前フレーム、第１ヒンジ及び第２ヒンジは、樹脂製であり、
第１後フレーム、第１ヒンジ及び第１前フレームは、一体形成され、
第２後フレーム、第２ヒンジ及び第２前フレームは、一体成形されていることを特徴とする。
【００２０】
請求項７に係る発明では、リッドの開口部から、鞄の内部に物品が出し入れ可能であることを特徴とする。
【発明の効果】
【００２２】
請求項１に係る発明では、出し入れ頻度の少ない物品は、前シェル本体と後シェルで形成する空間に収納し、出し入れ頻度の多い物品は、前シェル本体とリッドで形成される空間に収納するとよい。前シェル本体は後シェルに第１錠前機構で施錠したままで、リッドを開閉することで物品の出し入れができるため、物品の出し入れは容易である。
【００２３】
加えて、ファスナーではなくフレーム同士を合わせて第１・第２錠前機構で施錠するため、アイスピックやボールペンの先で鞄を壊して開けることができない。このように、本発明によれば、保安性と取り扱い易さの両方が満たされる鞄が提供される。
【００２４】
請求項２に係る発明では、後シェルの容積に相当する容量の中箱が、後シェルに取外し可能に取付けられているため、中箱を取り出すことで、物品を一括して取り出すことができる。よって、滞在先のホテルや戻った自宅で、後シェルから物品を中箱ごと取り出し、物品の整理整頓を容易に行うことができる。さらに、後シェルから中箱を取り出して、クローゼットの横バー等に吊して使用することと、後シェルから中箱を出さずにそのまま使用することとを選択的に可能とし、使い勝手を向上させることができる。
また、後シェルに収納した状態では、中箱は、上下で留められているので、後シェル内で動くことはない。
【００２５】
請求項３に係る発明では、中箱は、網部材で構成されている。網であるため、中身の確認が容易にでき便利である。網であるため中箱が軽くなる。その上、通気性に優れているため、中箱を吊すことで、収納物品に風を通すことができ、錆やカビ等の発生を抑えることができる。
【００２６】
請求項４に係る発明では、ハンガーフックを回動させ畳むことで、上方への突出を抑えることできる。このため、口の字状を呈するフレームと後シェルの隙間を小さくした状態で、上部フックを後シェル（第１後フレーム）の内側に設けた上部ピンに掛けることができる。
【００２７】
請求項５に係る発明では、中箱は、単独で収納ケースとなるので、後シェルから中箱を外して、クローゼットの横バー等に掛けておくことで、中箱を棚として使用することができる。
【００２８】
請求項６に係る発明では、第１後フレーム、第１ヒンジ及び第１前フレームは、樹脂一体形成され、第２後フレーム、第２ヒンジ及び第２前フレームは、樹脂一体成形されているので、フレームとヒンジを一括して成形することができ、部品のコストを低減させることができる。
【００２９】
請求項７に係る発明では、リッドの開口部から、鞄の内部に物品が出し入れ可能であるので、リッドだけを開いて鞄本体内に物品を出し入れすることで、鞄を洋服だんすとして使用することができる。
【図面の簡単な説明】
【００３２】
【図１】本発明に係る鞄の正面図である。
【図２】鞄の右側面図である。
【図３】鞄の平面図である。
【図４】鞄の分解図である。
【図５】中箱の斜視図である。
【図６】上部フック及びハンガーフックの斜視図である。
【図７】下部フックの斜視図である。
【図８】中箱の断面図である。
【図９】別態様のフックを使用した中箱の断面図である。
【図１０】中箱を装着した後シェルの正面図である。
【図１１】中箱の作用を説明する図である。
【図１２】前シェルの断面図である。
【図１３】図１２の１３矢視図である。
【図１４】スライドファスナーの平面図である。
【図１５】図１４の１５−１５線断面図である。
【図１６】スライドファスナーの分解斜視図である。
【図１７】スライドファスナーの作用図である。
【図１８】従来のスライドファスナーの構成及び問題点を説明する図である。
【発明を実施するための形態】
【００３３】
本発明の実施の形態を添付図に基づいて以下に説明する。なお、図面は符号の向きに見るものとする。
【実施例】
【００３４】
図１に示すように、鞄１０は、底面にキャスター（自在車輪）１１を備え、右面に第１ハンドル１２を備え、上面に第２ハンドル１３を備え、左面に脚１４を備え、前シェル２０の高さ方向途中に第２ヒンジ２１、２１を備え、角部（隅部、コーナー部）にコーナー補強部材１６を備えている。実施例では、第２ヒンジ２１を金属製蝶番としたが、樹脂製、布ヒンジであってもよく、さらには、樹脂製としてフレームと一体成形したものであっても差し支えない。
【００３５】
図２に示すように、鞄１０は、前シェル２０と後シェル４０を合わせてなり、第１ハンドル１２の近傍に第１錠前機構４１を有している。前シェル２０は、前シェル本体２２とリッド２３とからなる。
図３に示すように、第２ハンドル１３に近傍に第２錠前機構２４を備えている。２５は引き出し可能なハンドルである。
【００３６】
図４に示すように、鞄１０は、六面のうち一面が開口しこの開口が第１後フレーム４２で縁取りされている後シェル４０と、六面のうち一面が開口しこの開口が第１前フレーム２６で縁取りされている前シェル２０と、第１後フレーム４２と第１前フレーム２６に渡され後シェル４０に前シェル２０を開閉自在に連結する第１ヒンジ４３、４３と、第１後フレーム４２と第１前フレーム２６に渡され後シェル４０に前シェル２０を施錠する第１錠前機構（図２、符号４１）と、大部分が後シェル４０に収納される中箱５０と、第１後フレーム４２に取付けられたベルト４４、４４を備えている。第１ヒンジ４３は、布ヒンジであってもよいが、保安性を考えると、金属製蝶番が好ましい。なお、第１ヒンジ４３及び第２ヒンジ（図１、符号２１）は、フレームを樹脂製とすることで、フレームと一体成形し、第１ヒンジ４３及び第２ヒンジ２１が可撓性を有するものであっても差し支えない。
【００３７】
フレーム２６、４２は、前・後シェル２０、４０よりも丈夫な材料で構成する。例えば、前・後シェル２０、４０が樹脂であれば、フレーム２６、４２は、軽金属（アルミニウム合金）とする。前・後シェル２０、４０が軽金属であれば、フレーム２６、４２は、ステンレス鋼やチタン合金とする。
フレーム２６、４２はエンジニアリングプラスチック、ガラス繊維強化プラスチック、炭素繊維強化プラスチック、ポリカーボネート樹脂であってもよい。さらには、前・後シェル２０、４０とフレーム２６、４２の材質を同じにしても差し支えない。
【００３８】
図５に示すように、中箱５０は、口の字状を呈する丈夫なフレーム５１と、このフレーム５１で支持される網部材５２とからなり、正面に上段ファスナー５３、中段ファスナー５４及び下段ファスナー５５を備えている。網部材５２は、樹脂製ネット、軽合金製網、樹脂多孔板、軽金属多孔板の何れでもよい
丈夫なフレーム５１の上部中央に、回転可能で且つ起倒可能なハンガーフック５６を備えている。
また、網部材５２は、この網部材５２をフレーム５１に固定するための複数の固定部材５２ａを備えている。網部材５２には、補強用のバイヤス５２ｂが設けられており、このバイヤス５２ｂの位置に固定部材５２ａが設けられている。このため、網部材５２の耐久性を向上させることができる。なお、実施例では、固定部材５２ａは、面ファスナーとしたが、紐、クリップなどでもよく、網部材５２をフレーム５１に固定できれば他の部材であっても差し支えない。
【００３９】
図６（ａ）に示すように、フレーム５１の上部には、上方に突出するように上部フック６４、６４が設けられている。これらの上部フック６４、６４には、ハンガーフック５６、５６が回動可能に設けられている。ハンガーフック５６、５６を立てて、クローゼットの横バー等に掛けることができる。
【００４０】
図６（ｂ）に示すように、ハンガーフック５６、５６を回動させ畳むことで、上方への突出を抑えることできる。このため、フレーム５１と後シェル４０の隙間を小さくした状態で、上部フック６４、６４を後シェル４０（第１後フレーム４２）の内側に設けた上部ピン４５、４５に掛けることができる。
【００４１】
図７に示すように、フレーム５１の下部には、下方に突出するように下部フック６５、６５が設けられ、下部フック６５、６５には、穴６５ａ、６５ａが設けられている。後シェル４０（第１後フレーム４２）の内側に設けた下部ピン４６、４６を、穴６５ａ、６５ａに通すことで、下部フック６５、６５を下部ピン４６、４６に掛けることができる。
【００４２】
図８に示すように、網部材５２は、上段棚５７と中段棚５８を有し、上段ファスナー５３を開けることで上段棚５７上に物品６１を収納し、中段ファスナー５４を開けることで中段棚５８上に物品６２を収納し、下段ファスナー５５を開けることで中段棚５８下に物品６３を収納することができる。
【００４３】
丈夫なフレーム５１は、上部に穴６４ａが開いた上部フック６４を備え、下部に穴６５ａが開いた下部フック６５を備える。  
【００４４】
第１後フレーム４２に上部ピン４５と、下部ピン４６が設けられている。下部ピン４６に下部フック６５を取付け、上部ピン４５に上部フック６４を止める。
【００４５】
次に図８に示した下部フック６５の別態様を説明する。
図９に示すように、丈夫なフレーム５１は、上部に穴６４ａが開いた上部フック６４を備え、下部に穴６５ａが開いた下部フック６５を備える。この実施例では、下部フック６５は平らな底面を有するようにした。中箱５０を単独で床に置くときに、平底であれば、中箱５０が安定すると共に下部フック６５が曲がる心配はない。なお、下部フック６５は上部フック６４と同じ構造でもよい。詳細には、上下のフック共に、実施例の上部フック６４の形状、又は、実施例の下部フック６５の形状としてもよい。下部フック６５と上部フック６４とを同じ構造にした場合、部品の共通化を図ることができる。なお、この実施例では、下部フック６５は平らな底面を有するようにした。中箱５０を単独で床に置くときに、平底であれば、中箱５０が安定すると共に下部フック６５が曲がる心配はない。
【００４６】
次に中箱５０を後シェル４０に収納した状態について説明する。
図１０に示すように、中箱５０は、後シェル４０よりも若干小さく形成されており、鞄１０を立てた状態において、上２カ所で上部フック６４、６４が上部ピン４５、４５に留められ、下２カ所で下部フック６５、６５が下部ピン４６、４６に留められている。中箱５０は、上下２カ所ずつ留められているので、後シェル４０の中で動くことを防止できる。
【００４７】
下部ピン４６に下部フック６５を留め、上部ピン４５に上部フック６４を留めた結果、図１１（ａ）のようになる。なお、ベルト４４、４４が設けられていなくても、中箱５０が後シェル４０からせり出すことが抑制されているが、ベルト４４、４４を掛けることにより、中箱５０が後シェル４０か迫り出すことを防止することができる。
【００４８】
後シェル４０に中箱５０の大部分が収納されるが、一部が後シェル４０から突出している。中箱５０が後シェル４０より一回り小さいが、突出している部分があるため、後シェル４０の容積と中箱５０の容量は、略々同じに設定される。
【００４９】
ホテル滞在中や帰宅後は、図１１（ｂ）に示すように、後シェル４０から中箱５０を外し、この中箱５０を横バー６７に吊すことが推奨される。仮に、中箱５０内に湿った物が収納されていても、通気により乾燥させることができる。また、後シェル４０の内面が湿っていたとしても、中箱５０を外すことにより、内面を乾燥させることができる。また、後シェル４０から物品を中箱５０ごと取り出すことで、物品の整理整頓を容易に行うことができる。また、後シェル４０から中箱５０を取り出さずに、そのまま使用することもできる。このように、後シェル４０から中箱５０を取り出して、クローゼット等の横バー６７に吊して使用することと、後シェル４０から中箱５０を出さずにそのまま使用することとを選択的に可能とし、使い勝手を向上させることができる。
【００５０】
次に、前シェル２０の構造を詳しく説明する。
図１２に示すように、前シェル２０は、前シェル本体２２と、開閉可能なリッド２３とを備えている。
リッド２３は第２前フレーム２８で縁取りされ、前シェル本体２２は第２前フレーム２８に対応する部位が第２後フレーム２９で縁取りされ、この第２後フレーム２９と第２前フレーム２８に第２ヒンジ２１及び第２錠前機構（図３、符号２４）が渡されている。
【００５１】
フレーム２８、２９は、前シェル２０よりも丈夫な材料で構成する。例えば、前シェル２０が樹脂であれば、フレーム２８、２９は、軽金属（アルミニウム合金）とする。前シェル２０が軽金属であれば、フレーム２８、２９は、ステンレス鋼やチタン合金とする。
フレーム２８、２９はエンジニアリングプラスチック、ガラス繊維強化プラスチック、炭素繊維強化プラスチック、ポリカーボネート樹脂であってもよい。
【００５２】
好ましくは、開放限位置を確定するリンク３１、３２を前シェル本体２２とリッド２３に渡す。
また、第１前フレーム２６より第２後フレーム２９寄りの部位に、仕切壁３３を設ける。この仕切壁３３は、ネット、布キャンバス、樹脂板の何れでもよい。そして、仕切壁３３の上部に多段ポケット３４を設け、仕切壁３３の下部に大きなポケット３５を設ける。大きなポケット３５には、いわゆるパソコン３６を入れることができ、上も多段ポケット３４には、小物や軽い書類などを入れることができる。
【００５３】
想像線で示す位置にリッド２３を開けると、正面から書類の出し入れ、パソコンの出し入れができる。すなわち、図１の状態で、リッド２３だけを開けることができ、物品の出し入れが極めて容易に行える。
【００５４】
図１２、図１３に示すように、仕切壁３３にインナファスナー３７、３８が設けられている。リッド２３を開き、さらにインナーファスナー３７、３８を開くことで、リッド２３の開口部から、後シェル４０及び中箱５０内の収納物品の出し入れを行うことができる。
図２に示す第１錠前機構４１を開くことにより、後シェル４０に対して前シェル２０を開くと、図１３の仕切壁３３が現れる。インナファスナー３７、３８を開くことで、前シェル２０内の物品を取り出すことができる。仕切壁３３には、インナファスナー３７、３８の端部を通るように、補強用のバイヤス５２ｂが設けられている。このため、インナファスナー３７、３８の開閉による仕切壁３３の耐久性を向上させることができる。
【００５５】
図２に示す第１前フレーム２６と第１後フレーム４２の間に、アイスピックを差し込んだとしても、第１錠前機構４１及び第１ヒンジ（図４、符号４３、４３）が丈夫であるため、第１後フレーム４２から第１前フレーム２６が離れることはない。
また、第２前フレーム２８と第２後フレーム２９の間に、アイスピックを差し込んだとしても、第２錠前機構（図３、符号２４）及び第２ヒンジ（図１、符号２１、２１）が丈夫であるため、第２後フレーム２９から第２前フレーム２８が離れることはない。結果、充分な防犯性、保安性が保たれる。
【００５６】
次にフレームにスライドファスナーを設けた態様について説明する。
図１４に示すように、第１前フレーム２６及び第１後フレーム４２にスライドファスナー７０が設けられている。スライドファスナー７０は、前のテープ７１の縁に付いている前のエレメント７２と、後のテープ８１の縁に付いている後のエレメント８２と、エレメント７２、８２を開き方向又は閉じ方向へ移動するスライダー（不図示）とからなる。
【００５７】
前のエレメント７２は首７３と頭７４を有し、後のエレメント８２も首８３と頭８４を有している。前の首７３と首７３の間に後の頭８４が嵌り、後の首８３と首８３の間に前の頭７４が嵌まる。
【００５８】
前のテープ７１に前向きの力が加わり、後のテープ８１に後向きの力が加わっても、多数個のエレメント７２、８２の嵌合により、スライドファスナー７０の閉じ状態が維持される。すなわち、エレメント７２、８２個々の負荷は小さくなる。
【００５９】
図１５（ａ）に示すように、スライドファスナー７０は閉じた状態である。第１前フレーム２６には、前のテープ７１の基端側に前の溝７５が形成されている。前のテープ７１の基端部には、膨出するように前の係止部７６が形成されている。前の係止部７６が前の溝７５に嵌合することで、前のテープ７１が第１前フレーム２６に係止される。同様に、第１後フレーム４２には、後のテープ８１の基端側に後の溝８５が形成されている。後のテープ８１の基端部には、膨出するように後の係止部８６が形成されている。後の係止部８６が後の溝８５に嵌合することで、後のテープ８１が第１後フレーム４２に係止される。
【００６０】
第１前フレーム２６には、スライドファスナー７０の裏側まで延びる前の延出部７７が形成されている。詳細には、前の延出部７７は、スライドファスナー７０の裏側において、前のテープ７１の基端部から前のエレメント７２の先端部まで延びている。第１後フレーム４２には、スライドファスナー７０の裏側まで延びる後ろの延出部８７が形成されている。詳細には、後の延出部８７は、スライドファスナー７０の裏側において、後のテープ８１の基端部から後ろのエレメント８２の先端部まで延びている。前の延出部７７及び後の延出部８７を第１の延出部という。
【００６１】
図１５（ｂ）に示すように、スライドファスナー７０は開いた状態である。前の延出部７７の先端部は、表側が段差状に形成されている。後の延出部８７の先端部は、裏側が段差状に形成されている。スライドファスナー７０を閉じた際、前の延出部７７の段差と、後の延出部８７の段差が互いに組み合うことにより、前の延出部７７及び後の延出部８７が表裏方向及び開閉方向にずれ難くすることができる。
【００６２】
次にスライドファスナー７０のフレームへの組み付けを説明する。
図１６に示すように、前の係止部７６を、第１前フレーム２６の前の溝７５に差し込むことで、スライドファスナー７０が第１前フレーム２６に組み付けられる。なお、実施例では、前の係止部７６側を説明したが、同様に、後の係止部８６（図１５参照）も後のフレーム４２に組み付けられる。
【００６３】
次に以上に述べたスライドファスナー７０の作用を説明する。
アイスピック９０の先を、エレメント７２とエレメント８２の境界に差し込むと、アイスピック９０の先は、後の延出部８７又は前の延出部７７に突き当たり、それ以上奥に差し込めなくなる。このため、アイスピック９０の先の細い部分のみがエレメント７２とエレメント８２の間を通過し、アイスピック９０の太い部分はエレメント７２とエレメント８２の間に入らず、エレメント７２とエレメント８２の隙間が広がらない。結果、スライドファスナー７０は開かず、充分な防犯性、保安性が保たれる。
【００６４】
尚、本発明の鞄は、いわゆる、旅行カバン、スーツケース、トランク、アタッシュケースであれば種類は問わない。
また、本発明は、中箱を除いた形態で使用する鞄にも適用できる。
また、実施例では、第１前フレーム及び第１後フレームに、前後の延出部（第１の延出部）を形成し、スライドファスナーを設けたが、これに限定されず、第２前フレーム及び第２後フレームに、前後の延出部（第２の延出部）を形成し、スライドファスナーを設けても差し支えない。すなわち、スライドファスナーで、前シェルと後シェルの開閉及びリッドの開閉を行う形式の鞄であっても差し支えない。
【産業上の利用可能性】
【００６５】
本発明は、旅行鞄に好適である。
【符号の説明】
【００６６】
１０…鞄、２０…前シェル、２１…第２ヒンジ、２２…前シェル本体、２３…リッド、２４…第２錠前機構、２６…第１前フレーム、２８…第２前フレーム、２９…第２後フレーム、４０…後シェル、４１…第１錠前機構、４２…第１後フレーム、４３…第１ヒンジ、５０…中箱、５２…網部材、７０…スライドファスナー、７７…前の延出部、８７…後の延出部。
【図１】
0006437810.tif 000002
【図２】
0006437810.tif 000003
【図３】
0006437810.tif 000004
【図４】
0006437810.tif 000005
【図５】
0006437810.tif 000006
【図６】
0006437810.tif 000007
【図７】
0006437810.tif 000008
【図８】
0006437810.tif 000009
【図９】
0006437810.tif 000010
【図１０】
0006437810.tif 000011
【図１１】
0006437810.tif 000012
【図１２】
0006437810.tif 000013
【図１３】
0006437810.tif 000014
【図１４】
0006437810.tif 000015
【図１５】
0006437810.tif 000016
【図１６】
0006437810.tif 000017
【図１７】
0006437810.tif 000018
【図１８】
0006437810.tif 000019